(57)【要約】【課題】スライド体の前後ガタを規制し、且つサブシャーシとスライド体を係合させた状態で、サブシャーシがキャビネットから外れることを防止する。【解決手段】キャビネット５上には、記録再生ユニット３及びサブシャーシ２が昇降回動可能に設けられ、該サブシャーシ２の突軸２１は、支持体４上に配備されるスライド体７のカム溝７０に嵌まる。スライド体７には位置決め突起７５が、支持体４にはスライド体７の移動方向に延びた凹溝４４が開設され、位置決め突起７５と凹溝４４の嵌合により、スライド体７は前後ガタを規制される。スライド体７には爪片７４が設けられ、支持体４には爪片７４の進入を許す切欠き４２が開設され、スライド体７は爪片７４が切欠き４２に嵌まった位置から、支持体４に沿ってスライドして支持体４に係止される。スライド体７が支持体４に係止された状態で、突軸２１がカム溝７０に嵌まって、スライド体７は爪片７４と切欠き４２が合わさる向きへの移動を規制される。【選択図】    図４
2004227610.tif 000002
【特許請求の範囲】
【請求項１】
支持体（４）上に、カム溝（７０）を開設したスライド体（７）を移動可能に配備し、カム溝（７０）にはスライド体（７）によって駆動される被駆動部材から突出した突軸（２１）が嵌まり、
スライド体（７）又は支持体（４）の何れか一方には位置決め突起（７５）が、他方にはスライド体（７）の移動方向に沿って延びた凹溝（４４）が開設され、位置決め突起（７５）と凹溝（４４）の嵌合により、スライド体（７）は支持体（４）から離れ且つ被駆動部材に近づく向きの移動を規制されることを特徴とするスライド体の保持構造。
【請求項２】
スライド体（７）には支持体（４）の下端部に引掛かる爪片（７４）が設けられ、支持体（４）には爪片（７４）の進入を許す切欠き（４２）が開設され、スライド体（７）は爪片（７４）が切欠き（４２）に嵌まった位置から、支持体（４）に沿ってスライドして支持体（４）に係止され、
スライド体（７）が支持体（４）に係止された状態で、突軸（２１）がカム溝（７０）に嵌まることにより、スライド体（７）は爪片（７４）と切欠き（４２）が合わさる向きへの移動を規制される請求項１に記載のスライド体の保持構造。
【請求項３】
キャビネット（５）上に、記録再生ユニット（３）及び該記録再生ユニット（３）を受けるサブシャーシ（２）を昇降回動可能に設け、該サブシャーシ（２）からは突軸（２１）が突出して、該突軸（２１）はカム溝（７０）を開設したスライド体（７）に嵌まり、該スライド体（７）はキャビネット（５）上の支持体（４）上に配備され、
スライド体（７）又は支持体（４）の何れか一方には位置決め突起（７５）が、他方にはスライド体（７）の移動方向に沿って延びた凹溝（４４）が開設され、位置決め突起（７５）と凹溝（４４）の嵌合により、スライド体（７）は支持体（４）から離れ且つサブシャーシ（２）に近づく向きの移動を規制され、
スライド体（７）には支持体（４）に引掛かる爪片（７４）が設けられ、支持体（４）には爪片（７４）の進入を許す切欠き（４２）が開設され、スライド体（７）は爪片（７４）が切欠き（４２）に嵌まった位置から、支持体（４）に沿ってスライドして支持体（４）に係止され、
スライド体（７）が支持体（４）に係止された状態で、突軸（２１）がカム溝（７０）に嵌まることにより、スライド体（７）は爪片（７４）と切欠き（４２）が合わさる向きへの移動を規制されることを特徴とするディスク記録又は再生装置。
【発明の詳細な説明】
【０００１】
【発明の属する技術分野】
本発明は、ディスク記録又は再生装置に於けるスライド体の保持構造に関する。
【０００２】
【従来の技術】
図９は、従来のディスク記録又は再生装置の側面図である。該装置は、キャビネット（５）内に、ディスクＤが載置され中央部が開口（６０）したトレイ（６）を出没可能に設けるとともに、シャーシ（１）上にターンテーブル（３０）を具えた記録再生ユニット（３）を昇降可能に設けている（例えば、特許文献１参照）。
記録再生ユニット（３）は、カム溝（７０）が開設されたスライド体（７）に嵌合し、トレイ（６）が排出された状態では、記録再生ユニット（３）はスライド体（７）によってトレイ（６）の移行路から下方に外れるまで下降する。トレイ（６）が装置内に挿入されると、ターンテーブル（３０）がトレイ（６）の開口（６０）内に嵌まるまで上昇する。
【０００３】
出願人は、トレイを出没可能に設け、ターンテーブルを昇降させるディスク記録又は再生装置として、図１０及び図１１に示す構成を着想した。以下の記載では、トレイがキャビネット（５）内に挿入される方向を前方、キャビネット（５）から排出される方向を後方とする。
これは、記録再生ユニット（３）をサブシャーシ（２）に載置し、該サブシャーシ（２）から突出した突軸（２１）（２１）がスライド体（７）のカム溝（７０）（７０）に嵌まる。記録再生ユニット（３）のシャーシ（１）の前端部に嵌められた弾性部材（９）が、キャビネット（５）の底面から突出した軸体（５６）に嵌まり、記録再生ユニット（３）は弾性部材（９）を支点として昇降する。サブシャーシ（２）は枢軸（２０）を横向きに突出し、該枢軸（２０）はキャビネット（５）上の軸受け（５４）に嵌まる。ターンテーブル（３０）がブラケット（１０）を介してシャーシ（１）に取り付けられ、該ブラケット（１０）は防振部材（９０）（９０）を介してサブシャーシ（２）上の嵌め軸（２４）に取り付けられる。
【０００４】
スライド体（７）が左右に移動すると、サブシャーシ（２）が枢軸（２０）を中心に昇降する。サブシャーシ（２）が下降した状態では、図１１（ａ）に示すように、シャーシ（１）が弾性部材（９）を支点として下降回動する。弾性部材（９）はＸ部が撓み変形してシャーシ（１）の下降を許す。図１１（ｂ）に示すように、サブシャーシ（２）が上昇すると、シャーシ（１）が持ち上げられ、シャーシ（１）が弾性部材（９）を支点として上昇回動する。この状態で、信号が記録又は再生される。弾性部材（９）及び防振部材（９０）により、キャビネット（５）に振動が加わっても、記録再生ユニット（３）に加わる振動は緩和される。
スライド体（７）はキャビネット（５）上の壁片である支持体（４）に取り付けられて、左右に移動する。スライド体（７）の下端部には、爪片（７４）が設けられ、該爪片（７４）は支持体（４）の下端部に形成された切欠き（４２）の上縁部に引掛かる。これにより、スライド体（７）は上方への抜けが防止される。
【０００５】
【特許文献１】
特許２６８０７２７号（第１５図）
【０００６】
【発明が解決しようとする課題】
図１０及び図１１に示す構成では、キャビネット（５）に衝撃が加わった際に、スライド体（７）が爪片（７４）と支持体（４）との係合部を中心として前後にガタつき、その結果、サブシャーシ（２）の突軸（２１）（２１）がスライド体（７）から外れる虞れがある。また、スライド体（７）を支持体（４）に取り付け、サブシャーシ（２）とスライド体（７）を係合させた状態で、サブシャーシ（２）がキャビネット（５）の支持体（４）から不用意に外れることを防止する必要もある。
本発明の目的は、スライド体（７）の前後ガタを規制することにある。また、サブシャーシ（２）とスライド体（７）を係合させた状態で、サブシャーシ（２）がキャビネット（５）から外れることを防止することも目的とする。
【０００７】
【課題を解決する為の手段】
支持体（４）上に、カム溝（７０）を開設したスライド体（７）を移動可能に配備し、カム溝（７０）にはスライド体（７）によって駆動される被駆動部材から突出した突軸（２１）が嵌まり、
スライド体（７）又は支持体（４）の何れか一方には、位置決め突起（７５）が、他方にはスライド体（７）の移動方向に沿って延びた凹溝（４４）が開設され、位置決め突起（７５）と凹溝（４４）の嵌合により、スライド体（７）は支持体（４）から離れ且つ被駆動部材に近づく向きの移動を規制される。
また、スライド体（７）には支持体（４）の下端部に引掛かる爪片（７４）が設けられ、支持体（４）には爪片（７４）の進入を許す切欠き（４２）が開設され、スライド体（７）は爪片（７４）が切欠き（４２）に嵌まった位置から、支持体（４）に沿ってスライドして支持体（４）に係止され、
スライド体（７）が支持体（４）に係止された状態で、突軸（２１）がカム溝（７０）に嵌まることにより、スライド体（７）は爪片（７４）と切欠き（４２）が合わさる向きへの移動を規制される。
【０００８】
【作用及び効果】
位置決め突起（７５）と凹溝（４４）の嵌合により、スライド体（７）は支持体（４）から離れ且つ被駆動部材に近づく向きの移動を規制される。これにより、スライド体（７）は、被駆動部材、即ちサブシャーシ（２）と接近離間する向きの前後ガタを規制される。また、爪片（７４）と支持体（４）との係合により、スライド体（７）が支持体（４）に係止された状態で、サブシャーシ（２）の突軸（２１）がカム溝（７０）に嵌まることにより、スライド体（７）は爪片（７４）と切欠き（４２）が合わさる向きへの移動を規制される。これにより、サブシャーシ（２）とスライド体（７）を係合させた状態で、サブシャーシ（２）がキャビネット（５）から外れることは防止される。
【０００９】
【発明の実施の形態】
（全体構成）
以下に、本発明の実施例を図を用いて、詳述する。
図１は、本例に係わる装置の斜視図である。これは一対の側板（５０）（５０）を底板（５１）にて連結したキャビネット（５）内に、中央部が開口（６０）したトレイ（６）を出没自在に設けている。該トレイ（６）の上方にて側板（５０）（５０）の上端部間には、クランパ取付け板（５２）が架けられている。クランパ取付け板（５２）に開設された透孔（５３）に、周知のクランパ（８）が嵌まる。キャビネット（５）の底面には、大開口（５５）が開設され、該大開口（５５）に記録再生ユニット（３）が嵌まる。クランパ取付け板（５２）とキャビネット（５）の底面との間には、空間Ｋが設けられ、記録再生ユニット（３）はキャビネット（５）の上方前側から空間Ｋを斜め下向きに通って、大開口（５５）内に取り付けられる。
記録再生ユニット（３）は、キャビネット（５）の底板（５１）の前端部に設けられた弾性部材（９）を支点として上下回動可能に設けられている。弾性部材（９）は、防振部材（９０）と同じ材質から形成されているが、ターンテーブル（３０）から離れており、防振部材（６）よりも振動吸収効果は小さい。
【００１０】
図２は、トレイ（６）及びクランパ取付け板（５２）を除去したキャビネット（５）と記録再生ユニット（３）の平面図、図３は、後記のスライド体（７）と支持体（４）の正面図、図４は、キャビネット（５）、記録再生ユニット（３）、サブシャーシ（２）の分解斜視図である。
記録再生ユニット（３）は、従来と同様に、シャーシ（１）上にピックアップ（３１）及びターンテーブル（３０）を周知の如く具え、後端部がサブシャーシ（２）に載置される。ターンテーブル（３０）はブラケット（１０）を介してシャーシ（１）上に取り付けられる。サブシャーシ（２）は、防振部材（９０）（９０）を介して記録再生ユニット（３）に取り付けられ、後方に向けて突軸（２１）（２１）を突出している。
また、サブシャーシ（２）は枢軸（２０）を横向きに突出し、該枢軸（２０）はキャビネット（５）上の軸受け（５４）に嵌まる。サブシャーシ（２）は枢軸（２０）を中心として、上下回動し、記録再生ユニット（３）を昇降させる。
【００１１】
キャビネット（５）上にて記録再生ユニット（３）の後方は、一段盛り上がって支持体（４）を形成し、該支持体（４）上にモータ（Ｍ）に連繋したギア列（１８）が設けられている。支持体（４）の前端部には、スライド体（７）が左右移動可能に取り付けられ、ギア列（１８）の下流側のギア（１９）は、スライド体（７）に噛合する。該ギア（１９）はトレイ（６）にも噛合してトレイ（６）を前後移動させる。
図３に示すように、スライド体（７）は縦板（７２）の上端部から横板（７３）を後方に突出して構成され、縦板（７２）の下端部には爪片（７４）（７４）が設けられ、該爪片（７４）（７４）が支持体（４）に係合する。横板（７３）の左端部にはギア（１９）に噛合するラック（７１）が形成され、縦板（７２）には前記の突軸（２１）（２１）が嵌まるカム溝（７０）（７０）が開設されている。横板（７３）の下面からは位置決め突起（７５）が下向きに突出し、該位置決め突起（７５）が支持体（４）の上面に嵌まって、スライド体（７）は前後ガタが規制される。
スライド体（７）が左右移動すると、突軸（２１）（２１）が昇降し、サブシャーシ（２）が枢軸（２０）（２０）を中心に上下回動する。サブシャーシ（２）が回動すると、シャーシ（１）がサブシャーシ（２）に持ち上げられて、弾性部材（９）を支点として回動する。枢軸（２０）（２０）は、スライド体（７）と弾性部材（９）の間に位置しているから、サブシャーシ（２）はシャーシ（１）よりも回動半径が短く、記録再生ユニット（３）の昇降時にて、互いに異なる角度だけ回動する。
【００１２】
図３に示すように、支持体（４）は前記モータ（Ｍ）及びギア列（１８）を設けた上板（４０）の前端部から、垂直板（４１）を下向きに延ばして形成され、該垂直板（４１）の一端部及び横方向の中央部に切欠き（４２）（４２）を開設している。垂直板（４１）の下端と、キャビネット（５）の底面との間には隙間Ｈが形成され、垂直板（４１）の一部から脚片（４３）（４３）が延びて、キャビネット（５）の底面に接している。
図４に示すように、支持体（４）の上板（４０）には、凹溝（４４）が横向きに開設され、該凹溝（４４）にスライド体（７）の位置決め突起（７５）が嵌まる。スライド体（７）の爪片（７４）（７４）は切欠き（４２）を通って左向きにスライドして、垂直板（４１）の下端部に引掛かる。凹溝（４４）と位置決め突起（７５）との嵌合により、スライド体（７）は前後ガタが規制され、爪片（７４）と垂直板（４１）との係合により、スライド体（７）の上方への抜けが規制される。
【００１３】
（スライド体の支持体への取り付け）
スライド体（７）を支持体（４）に取り付けるには、以下の手順で行う。尚、図５乃至図７では、ギア列（１８）の記載を省く。
先ず、キャビネット（５）に記録再生ユニット（３）が取り付けられていない状態で、スライド体（７）を支持体（４）に載置する。図３に示すように、スライド体（７）の爪片（７４）を、支持体（４）の切欠き（４２）に対向させる。次に、図５に示すように、爪片（７４）を垂直板（４１）の下端部に嵌めて、スライド体（７）を左向きに移動させる。
次に、図８に示すように、記録再生ユニット（３）にサブシャーシ（２）を取り付けた状態で、空間Ｋに向けて斜め下向きに挿入する。サブシャーシ（２）の突軸（２１）（２１）をスライド体（７）に向け、突軸（２１）（２１）をスライド体（７）のカム溝（７０）（７０）に嵌める。
図６は、図５を裏側、即ち記録再生ユニット（３）側から見た図である。記録再生ユニット（３）は斜め下向きに挿入されるから、突軸（２１）（２１）はカム溝（７０）の下端部に嵌められる。
この状態で、図７に示すように、スライド体（７）を左向きに移動させる。爪片（７４）は、切欠き（４２）に接近するが、突軸（２１）（２１）はカム溝（７０）（７０）の端部に接して、左向きの移動を規制される。従って、突軸（２１）（２１）がカム溝（７０）（７０）に嵌また状態では、爪片（７４）と切欠き（４２）は対向せず、スライド体（７）が支持体（４）から不用意に外れる虞れはない。
尚、記録再生ユニット（３）の昇降動作は、図１１に示す従来の動作と同様であり、詳細な記載を省く。
【００１４】
位置決め突起（７５）と凹溝（４４）の嵌合により、スライド体（７）は支持体（４）から離れ且つサブシャーシ（２）に近づく向きの移動を規制される。これにより、スライド体（７）は、サブシャーシ（２）と接近離間する向きの前後ガタを規制される。また、爪片（７４）と支持体（４）との係合により、スライド体（７）が支持体（４）に係止された状態で、サブシャーシ（２）の突軸（２１）がカム溝（７０）に嵌まることにより、スライド体（７）は爪片（７４）と切欠き（４２）が合わさる向きへの移動を規制される。これにより、サブシャーシ（２）とスライド体（７）を係合させた状態で、サブシャーシ（２）がキャビネット（５）から不用意に外れることは防止される。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、支持体（４）に凹溝（４４）を形成し、スライド体（７）に位置決め突起（７５）を形成するとしたが、支持体（４）に位置決め突起（７５）を形成し、スライド体（７）に凹溝（４４）を形成してもよい。
【図面の簡単な説明】
【図１】ディスク記録又は再生装置の斜視図である。
【図２】トレイ及びクランパ取付け板を除去したキャビネットと記録再生ユニットの平面図である。
【図３】スライド体と支持体の正面図である。
【図４】キャビネット、記録再生ユニット、サブシャーシの分解斜視図である。
【図５】支持台のスライド体を取り付けた状態の正面図である。
【図６】図５を記録再生ユニット側から見た図である。
【図７】図６に示す状態から、スライド体を移動させた状態を示す図である。
【図８】記録再生ユニットをキャビネットに取り付ける状態を示す斜視図である。
【図９】従来のディスク記録又は再生装置の側面図である。
【図１０】別の従来のディスク記録又は再生装置の分解斜視図である。
【図１１】（ａ）、（ｂ）は図１０のディスク記録又は再生装置の側面図であり、（ａ）は下降状態を、（ｂ）は上昇状態を夫々示す。
【符号の説明】
（２）    サブシャーシ
（３）    記録再生ユニット
（４）    支持体
（５）    キャビネット
（７）    スライド体
（２１）    突軸
（４２）    切欠き
（４４）    凹溝
（７０）    カム溝
（７４）    爪片
（７５）    位置決め突起
【図１】
2004227610.tif 000003
【図２】
2004227610.tif 000004
【図３】
2004227610.tif 000005
【図４】
2004227610.tif 000006
【図５】
2004227610.tif 000007
【図６】
2004227610.tif 000008
【図７】
2004227610.tif 000009
【図８】
2004227610.tif 000010
【図９】
2004227610.tif 000011
【図１０】
2004227610.tif 000012
【図１１】
2004227610.tif 000013